【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によって実施されるワイヤレス通信の方法であって、
ネットワークから、複数のダウンリンク送信モードのうちの送信ダイバーシティダウンリンク送信モードを示すダウンリンク送信構成を受信することと、
前記ダウンリンク送信構成に従って前記送信ダイバーシティダウンリンク送信モードに基づいてダウンリンク通信を構成することと、
前記送信ダイバーシティ送信モードに基づいてポイントツーマルチプル（ＰＴＭ）ダウンリンク送信を介してサービスを受信することと
を備える、方法。
【請求項２】
前記ＵＥが、同じサブフレーム内のセル無線ネットワーク一時識別子（Ｃ−ＲＮＴＩ）に基づく物理ダウンリンク共有チャネル（ＰＤＳＣＨ）とグループ無線ネットワーク一時識別子（Ｇ−ＲＮＴＩ）に基づく物理ダウンリンク共有チャネル（ＰＤＳＣＨ）の両方の同時受信をサポートするように構成される、請求項１に記載の方法。
【請求項３】
ユーザ機器（ＵＥ）によって実施されるワイヤレス通信の方法であって、
ネットワークから、複数のダウンリンク送信モードのうちの１つを示すダウンリンク送信構成を受信することと、
前記ダウンリンク送信構成に従って前記複数のダウンリンク送信モードのうちの前記１つに基づいてダウンリンク通信を構成することと、
サービスに合う前記複数のダウンリンク送信モードのうちの前記１つに基づいてポイントツーマルチプル（ＰＴＭ）送信を介して前記サービスを受信することと
を備える、方法。
【請求項４】
ネットワークに前記ＵＥのダウンリンク送信モード可能性を報告することをさらに備え、前記報告されたダウンリンク送信モード可能性が、前記複数のダウンリンク送信モードのうちの１つで前記ＰＴＭ送信を構成するために使用される、請求項３に記載の方法。
【請求項５】
前記ダウンリンク送信モード可能性を前記報告することが、
前記ダウンリンク送信モード可能性を前記ネットワークに示すように構成されたアプリケーションサーバ（ＡＳ）に前記ＵＥが最初に接続したとき、前記ＡＳに前記ダウンリンク送信モード可能性を報告することを含む、請求項４に記載の方法。
【請求項６】
前記ダウンリンク送信モード可能性を前記報告することが、
前記ＵＥが前記ＰＴＭ送信を受信するように決定すると、前記基地局に前記ダウンリンク送信モード可能性を報告するために基地局との接続モードに入ることを含み、
前記ＵＥが、前記ダウンリンク送信モード可能性を報告した後、アイドルモードに入って前記ＰＴＭ送信を受信する、請求項４に記載の方法。
【請求項７】
前記ＵＥが、同じサブフレーム内のセル無線ネットワーク一時識別子（Ｃ−ＲＮＴＩ）に基づく物理ダウンリンク共有チャネル（ＰＤＳＣＨ）またはグループ無線ネットワーク一時識別子（Ｇ−ＲＮＴＩ）に基づくＰＤＳＣＨのいずれかの受信をサポートするように構成される、請求項３に記載の方法。
【請求項８】
前記Ｇ−ＲＮＴＩを監視するために、前記Ｇ−ＲＮＴＩに利用可能なサブフレームについての情報を受信することをさらに備える、請求項７に記載の方法。
【請求項９】
前記ＵＥが、同じサブフレーム内のセル無線ネットワーク一時識別子（Ｃ−ＲＮＴＩ）に基づく物理ダウンリンク共有チャネル（ＰＤＳＣＨ）とグループ無線ネットワーク一時識別子（Ｇ−ＲＮＴＩ）に基づくＰＤＳＣＨの両方の同時受信をサポートするように構成される、請求項３に記載の方法。
【請求項１０】
前記同じサブフレーム内の前記Ｃ−ＲＮＴＩと前記Ｇ−ＲＮＴＩの両方を有する物理ダウンリンク制御チャネル（ＰＤＣＣＨ）を復号することをさらに備える、請求項９に記載の方法。
【請求項１１】
基地局にマルチメディアブロードキャストマルチキャストサービス（ＭＢＭＳ）関心指示メッセージを送ることをさらに備える、請求項９に記載の方法。
【請求項１２】
前記Ｇ−ＲＮＴＩを有する前記ＰＤＳＣＨの送信に利用可能なサブフレームについての情報を受信することと、
前記Ｇ−ＲＮＴＩに利用可能な前記サブフレーム内の前記Ｇ−ＲＮＴＩを有する物理ダウンリンク制御チャネル（ＰＤＣＣＨ）を監視することと、
すべてのサブフレーム内の前記Ｃ−ＲＮＴＩを有するＰＤＣＣＨを監視することと
をさらに備える、請求項９に記載の方法。
【請求項１３】
前記ＵＥが前記Ｇ−ＲＮＴＩを有する物理ダウンリンク制御チャネル（ＰＤＣＣＨ）を検出した場合、前記Ｃ−ＲＮＴＩに関連付けられたＰＤＣＣＨを取り下げることをさらに備える、請求項９に記載の方法。
【請求項１４】
基地局によって実施されるワイヤレス通信の方法であって、
ポイントツーマルチプル（ＰＴＭ）送信を介するサービスのために複数のダウンリンク送信モードのうちの１つを決定することと、
サービスに合う前記複数のダウンリンク送信モードのうちの前記１つに基づいて、前記ＰＴＭ送信を介して、ユーザ機器（ＵＥ）に前記サービスを送信することと
を備える、方法。
【請求項１５】
ワイヤレス通信のためのユーザ機器（ＵＥ）であって、
ネットワークから、複数のダウンリンク送信モードのうちの送信ダイバーシティダウンリンク送信モードを示すダウンリンク送信構成を受信するための手段と、
前記ダウンリンク送信構成に従って前記送信ダイバーシティダウンリンク送信モードに基づいてダウンリンク通信を構成するための手段と、
前記送信ダイバーシティ送信モードに基づいてポイントツーマルチプル（ＰＴＭ）ダウンリンク送信を介してサービスを受信するための手段と
を行うように構成された、少なくとも１つのプロセッサと
を備える、ユーザ機器（ＵＥ）。
【手続補正２】
【補正対象書類名】明細書
【補正対象項目名】０１２８
【補正方法】変更
【補正の内容】
【０１２８】
[00151]これまでの説明は、当業者が本明細書に記載された様々な態様を実践することを可能にするために提供される。これらの態様への様々な修正は当業者には容易に明らかであり、本明細書において規定された一般的な原理は他の態様に適用される場合がある。したがって、特許請求の範囲は、本明細書に示された態様に限定されるものではなく、クレーム文言に矛盾しない最大の範囲を与えられるべきであり、単数形の要素への言及は、そのように明記されていない限り、「唯一無二の」を意味するものではなく、「１つまたは複数の」を意味するものである。「例示的」という単語は、本明細書において、「例、事例、または例示の働きをすること」を意味するために使用される。「例示的」として本明細書に記載されたいかなる態様も、必ずしも他の態様よりも好ましいか、または有利であると解釈されるべきではない。別段に明記されていない限り、「いくつか」という用語は１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、ならびに「Ａ、Ｂ、Ｃ、またはそれらの任意の組合せ」などの組合せは、Ａ、Ｂ、および／またはＣの任意の組合せを含み、複数のＡ、複数のＢ、または複数のＣを含む場合がある。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、ならびに「Ａ、Ｂ、Ｃ、またはそれらの任意の組合せ」は、Ａのみ、Ｂのみ、Ｃのみ、ＡおよびＢ、ＡおよびＣ、ＢおよびＣ、またはＡおよびＢおよびＣの場合があり、任意のそのような組合せは、Ａ、Ｂ、またはＣのうちの１つまたは複数のメンバを含む場合がある。当業者には既知であるか、または後で既知になる、本開示全体にわたって記載された様々な態様の要素に対するすべての構造的および機能的均等物は、参照により本明細書に明確に組み込まれ、特許請求の範囲によって包含されるものである。その上、本明細書で開示されたいかなることも、そのような開示が特許請求の範囲に明示的に列挙されているかどうかにかかわらず、公に供するものではない。「モジュール」、「機構」、「要素」、「デバイス」などの単語は、「手段」という単語の代替ではない場合がある。したがって、いかなるクレーム要素も、その要素が「のための手段」という句を使用して明確に列挙されていない限り、ミーンズプラスファンクションとして解釈されるべきではない。
以下に、本願の出願当初の特許請求の範囲に記載された発明を付記する。
［Ｃ１］
ユーザ機器（ＵＥ）によって実施されるワイヤレス通信の方法であって、
ネットワークから、複数のダウンリンク送信モードのうちの送信ダイバーシティダウンリンク送信モードを示すダウンリンク送信構成を受信することと、
前記ダウンリンク送信構成に従って前記送信ダイバーシティダウンリンク送信モードに基づいてダウンリンク通信を構成することと、
前記送信ダイバーシティ送信モードに基づいてポイントツーマルチプル（ＰＴＭ）ダウンリンク送信を介してサービスを受信することとを備える、方法。
［Ｃ２］
前記ＵＥが、同じサブフレーム内のセル無線ネットワーク一時識別子（Ｃ−ＲＮＴＩ）に基づく物理ダウンリンク共有チャネル（ＰＤＳＣＨ）とグループ無線ネットワーク一時識別子（Ｇ−ＲＮＴＩ）に基づく物理ダウンリンク共有チャネル（ＰＤＳＣＨ）の両方の同時受信をサポートするように構成される、Ｃ１に記載の方法。
［Ｃ３］
共通探索空間内の前記Ｇ−ＲＮＴＩを有する物理ダウンリンク制御チャネル（ＰＤＣＣＨ）が、ダウンリンク制御情報（ＤＣＩ）フォーマット１Ａに関連付けられる、Ｃ２に記載の方法。
［Ｃ４］
ＵＥ固有探索空間内の前記Ｇ−ＲＮＴＩを有する物理ダウンリンク制御チャネル（ＰＤＣＣＨ）が、ダウンリンク制御情報（ＤＣＩ）フォーマット１Ａに関連付けられる、Ｃ２に記載の方法。
［Ｃ５］
ユーザ機器（ＵＥ）によって実施されるワイヤレス通信の方法であって、
ネットワークから、複数のダウンリンク送信モードのうちの１つを示すダウンリンク送信構成を受信することと、
前記ダウンリンク送信構成に従って前記複数のダウンリンク送信モードのうちの前記１つに基づいてダウンリンク通信を構成することと、
サービスに合う前記複数のダウンリンク送信モードのうちの前記１つに基づいてポイントツーマルチプル（ＰＴＭ）送信を介して前記サービスを受信することとを備える、方法。
［Ｃ６］
ネットワークに前記ＵＥのダウンリンク送信モード可能性を報告することをさらに備え、前記報告されたダウンリンク送信モード可能性が、前記複数のダウンリンク送信モードのうちの１つで前記ＰＴＭ送信を構成するために使用される、Ｃ５に記載の方法。
［Ｃ７］
前記ダウンリンク送信モード可能性を前記報告することが、
前記ダウンリンク送信モード可能性を前記ネットワークに示すように構成されたアプリケーションサーバ（ＡＳ）に前記ＵＥが最初に接続したとき、前記ＡＳに前記ダウンリンク送信モード可能性を報告することを含む、Ｃ６に記載の方法。
［Ｃ８］
前記ダウンリンク送信モード可能性を前記報告することが、
前記ＵＥが前記ＰＴＭ送信を受信するように決定すると、前記基地局に前記ダウンリンク送信モード可能性を報告するために基地局との接続モードに入ることを含み、
前記ＵＥが、前記ダウンリンク送信モード可能性を報告した後、アイドルモードに入って前記ＰＴＭ送信を受信する、Ｃ６に記載の方法。
［Ｃ９］
前記ＵＥが、ＰＴＭ送信用のランクに基づいて、前記ＰＴＭ送信を介して前記サービスを受信する、Ｃ６に記載の方法。
［Ｃ１０］
前記ＵＥが、同じサブフレーム内のセル無線ネットワーク一時識別子（Ｃ−ＲＮＴＩ）に基づく物理ダウンリンク共有チャネル（ＰＤＳＣＨ）またはグループ無線ネットワーク一時識別子（Ｇ−ＲＮＴＩ）に基づくＰＤＳＣＨのいずれかの受信をサポートするように構成される、Ｃ５に記載の方法。
［Ｃ１１］
前記Ｇ−ＲＮＴＩを監視するために、前記Ｇ−ＲＮＴＩに利用可能なサブフレームについての情報を受信することをさらに備える、Ｃ１０に記載の方法。
［Ｃ１２］
前記Ｇ−ＲＮＴＩが半永続的スケジューリング（ＳＰＳ）のＧ−ＲＮＴＩであり、前記Ｃ−ＲＮＴＩが半永続的スケジューリング（ＳＰＳ）のＣ−ＲＮＴＩである、Ｃ１０に記載の方法。
［Ｃ１３］
前記ＵＥが前記Ｇ−ＲＮＴＩを監視されるべき前記サブフレームに関する情報を受信した場合、前記ＵＥが、Ｃ−ＲＮＴＩまたはＳＰＳのＣ−ＲＮＴＩを監視せずに、Ｇ−ＲＮＴＩまたは半永続的スケジューリング（ＳＰＳ）のＧ−ＲＮＴＩのうちの少なくとも１つを監視し、前記ＵＥが前記Ｇ−ＲＮＴＩを監視されるべき前記サブフレームに関する情報を受信しない場合、前記ＵＥが、Ｇ−ＲＮＴＩまたはＳＰＳのＧ−ＲＮＴＩのうちの少なくとも１つと、Ｃ−ＲＮＴＩまたはＳＰＳのＣ−ＲＮＴＩのうちの少なくとも１つとを監視する、Ｃ１０に記載の方法。
［Ｃ１４］
前記ＵＥが、Ｇ−ＲＮＴＩまたはＳＰＳのＧ−ＲＮＴＩのうちの少なくとも１つと、Ｃ−ＲＮＴＩまたはＳＰＳのＣ−ＲＮＴＩのうちの少なくとも１つとを監視した後、Ｇ−ＲＮＴＩまたはＳＰＳのＧ−ＲＮＴＩのうちの少なくとも１つを有する物理ダウンリンク制御チャネル（ＰＤＣＣＨ）を検出した場合、前記ＵＥが、前記サブフレーム内のＣ−ＲＮＴＩおよびＳＰＳのＣ−ＲＮＴＩを有するＰＤＣＣＨを監視することを止める、Ｃ１３に記載の方法。
［Ｃ１５］
前記ＵＥが、同じサブフレーム内のセル無線ネットワーク一時識別子（Ｃ−ＲＮＴＩ）に基づく物理ダウンリンク共有チャネル（ＰＤＳＣＨ）とグループ無線ネットワーク一時識別子（Ｇ−ＲＮＴＩ）に基づくＰＤＳＣＨの両方の同時受信をサポートするように構成される、Ｃ５に記載の方法。
［Ｃ１６］
前記同じサブフレーム内の前記Ｃ−ＲＮＴＩと前記Ｇ−ＲＮＴＩの両方を有する物理ダウンリンク制御チャネル（ＰＤＣＣＨ）を復号することをさらに備える、Ｃ１５に記載の方法。
［Ｃ１７］
基地局にマルチメディアブロードキャストマルチキャストサービス（ＭＢＭＳ）関心指示メッセージを送ることをさらに備える、Ｃ１５に記載の方法。
［Ｃ１８］
前記Ｇ−ＲＮＴＩを有する前記ＰＤＳＣＨの送信に利用可能なサブフレームについての情報を受信することと、
前記Ｇ−ＲＮＴＩに利用可能な前記サブフレーム内の前記Ｇ−ＲＮＴＩを有する物理ダウンリンク制御チャネル（ＰＤＣＣＨ）を監視することと、
すべてのサブフレーム内の前記Ｃ−ＲＮＴＩを有するＰＤＣＣＨを監視することとをさらに備える、Ｃ１５に記載の方法。
［Ｃ１９］
前記Ｇ−ＲＮＴＩが半永続的スケジューリング（ＳＰＳ）のＧ−ＲＮＴＩであり、前記Ｃ−ＲＮＴＩが半永続的スケジューリング（ＳＰＳ）のＣ−ＲＮＴＩである、Ｃ１５に記載の方法。
［Ｃ２０］
前記ＵＥが前記Ｇ−ＲＮＴＩを有する物理ダウンリンク制御チャネル（ＰＤＣＣＨ）を検出した場合、前記Ｃ−ＲＮＴＩに関連付けられたＰＤＣＣＨを取り下げることをさらに備える、Ｃ１５に記載の方法。
［Ｃ２１］
前記Ｇ−ＲＮＴＩを有する物理ダウンリンク制御チャネル（ＰＤＣＣＨ）がＵＥ固有探索空間内で受信され、前記ＵＥ固有探索空間が前記Ｇ−ＲＮＴＩに関連付けられる、Ｃ１５に記載の方法。
［Ｃ２２］
前記ＵＥ固有探索空間内で、前記Ｇ−ＲＮＴＩを有する前記ＰＤＣＣＨが、あらかじめ決められた制御チャネル要素（ＣＣＥ）アグリゲーションレベルに制限される、Ｃ２１に記載の方法。
［Ｃ２３］
前記ＵＥ固有探索空間内の前記Ｇ−ＲＮＴＩを有する前記ＰＤＣＣＨが、ダウンリンク制御情報（ＤＣＩ）フォーマット１Ａに関連付けられる、Ｃ２１に記載の方法。
［Ｃ２４］
前記Ｇ−ＲＮＴＩを有する前記ＰＤＣＣＨが共通探索空間内で受信される、Ｃ１５に記載の方法。
［Ｃ２５］
共通探索空間内の前記Ｇ−ＲＮＴＩを有する物理ダウンリンク制御チャネル（ＰＤＣＣＨ）が、ダウンリンク制御情報（ＤＣＩ）フォーマット１Ａに関連付けられる、Ｃ１５に記載の方法。
［Ｃ２６］
前記ＰＴＭ送信用に前記ＵＥによってサポートされるダウンリンク送信モードの場合、前記ダウンリンク送信モードによってサポートされるダウンリンク制御情報（ＤＣＩ）フォーマットに対応する新しいＤＣＩフォーマットが生成され、前記新しいＤＣＩフォーマットが、ＤＣＩフォーマット１Ａに整合されたサイズを有する、Ｃ１５に記載の方法。
［Ｃ２７］
前記新しいＤＣＩフォーマットが共通探索空間内で受信される、Ｃ２６に記載の方法。
［Ｃ２８］
前記新しいＤＣＩフォーマットがＵＥ固有探索空間内で受信され、前記ＵＥ固有探索空間が前記Ｇ−ＲＮＴＩに関連付けられる、Ｃ２６に記載の方法。
［Ｃ２９］
基地局によって実施されるワイヤレス通信の方法であって、
ポイントツーマルチプル（ＰＴＭ）送信を介するサービスのために複数のダウンリンク送信モードのうちの１つを決定することと、
サービスに合う前記複数のダウンリンク送信モードのうちの前記１つに基づいて、前記ＰＴＭ送信を介して、ユーザ機器（ＵＥ）に前記サービスを送信することとを備える、方法。
［Ｃ３０］
ワイヤレス通信のためのユーザ機器（ＵＥ）であって、
メモリと、
前記メモリに結合され、
ネットワークから、複数のダウンリンク送信モードのうちの送信ダイバーシティダウンリンク送信モードを示すダウンリンク送信構成を受信することと、
前記ダウンリンク送信構成に従って前記送信ダイバーシティダウンリンク送信モードに基づいてダウンリンク通信を構成することと、
前記送信ダイバーシティ送信モードに基づいてポイントツーマルチプル（ＰＴＭ）ダウンリンク送信を介してサービスを受信することと
を行うように構成された、少なくとも１つのプロセッサとを備える、ユーザ機器（ＵＥ）。